(57)【特許請求の範囲】
【請求項１】
上面の後側にバックル開口を開口し、そして、シート・ベルト・バックルのステーをそのバックル開口に通して外部に伸長させ、そして、そのバックル開口においてステーを前後に揺動可能にするカバー本体と、そのバックル開口の前側および後側開口縁から内部に伸長されてその内部を目隠しするフロントおよびリア・インナ・フランジと、そのフロントおよびリア・インナ・フランジの先端に弾性変形可能に一体的に形成されてそのステーを受けるフロントおよびリア・インナ・フィンとを含む乗り物シートに使用されるシート・ベルト・バックル・カバー。
【請求項２】
そのバックル開口が切欠き形開口に形成される請求項１に記載の乗り物シートに使用されるシート・ベルト・バックル・カバー。
【請求項３】
そのフロントおよびリア・インナ・フランジと、そのフロントおよびリア・インナ・フィンとが、そのカバー本体の内側面に一体化される請求項１に記載の乗り物シートに使用されるシート・ベルト・バックル・カバー。
【請求項４】
そのフロントおよびリア・インナ・フィンが、フィン面に張出しを備えてその張出しにそのステーを受ける請求項１あるいは３に記載の乗り物シートに使用されるシート・ベルト・バックル・カバー。
【発明の詳細な説明】
【０００１】
【発明の関係する分野】
この発明は、乗り物シートに使用されるシート・ベルト・バックル・カバーに関する。
【０００２】
【背景技術】
この種のシート・ベルト・バックル・カバーは、上面の後側にスロットを開口し、そして、シート・ベルト・バックルのステーをそのスロットに通して外部に伸長させ、そして、そのスロットにおいてそのステーを前後に揺動可能にするので、そのスロットは開口縁がそのステーで傷付けられて外観の見映えが損われる恐れがあった。
【０００３】
【発明の課題】
この発明の課題は、開口の縁を傷付けずにその開口においてシート・ベルト・バックルのステーを前後に揺動でき、そして、外観の見映えを保てるところの乗り物シートに使用されるシート・ベルト・バックル・カバーの提供にある。
【０００４】
【課題に相応する手段およびそれの作用】
この発明は、上面の後側にバックル開口を開口し、そして、シート・ベルト・バックルのステーをそのバックル開口に通して外部に伸長させ、そして、そのバックル開口においてそのステーを前後に揺動可能にするカバー本体と、そのバックル開口の前側および後側開口縁から内部に伸長されてその内部を目隠しするフロントおよびリア・インナ・フランジと、そのフロントおよびリア・インナ・フランジの先端に弾性変形可能に一体的に形成されてそのステーを受けるフロントおよびリア・インナ・フィンとを含み、そして、そのフロントおよびリア・インナ・フィンでそのステーを直接的に受け、また、そのフロントおよびリア・インナ・フランジでその内部を見え難くする。
【０００５】
【具体例の説明】
以下、特定されて図示された具体例に基づいて、この発明の乗り物シートに使用されるシート・ベルト・バックル・カバーを説明するに、図１および図２は、ワゴンのドライバー・シート３０のインナ・サイドに組み付けられるところのこの発明の乗り物シートに使用されるシート・ベルト・バックル・カバーの具体例１０を示し、そのシート・ベルト・バックル・カバー１０は樹脂から成形され、そして、そのシート・ベルト・バックル・カバー１０では、カバー本体１１が、上面１２の後側にバックル開口１４を開口し、そして、シート・ベルト・バックル３３のステー３４をそのバックル開口１４に通して外部に伸長させ、そして、そのバックル開口１４においてそのステー３４を前後に揺動可能になし、また、フロントおよびリア・インナ・フランジ１７，１８が、そのバックル開口１４の前側および後側開口縁１５，１６から内部に伸長されてその内部を目隠しし、さらに、フロントおよびリア・インナ・フィン２２，２３が、そのフロントおよびリア・インナ・フランジ１７，１８の先端に弾性変形可能に一体的に形成されてそのステー３４を受ける。
【０００６】
そのカバー本体１１は、シート・バック・ヒンジのカバーも兼ね、そして、そのバックル開口１４を切欠き形開口に形成している。その切欠き形開口１４は、そのシート・ベルト・バックル３３に揺動を前後に許すところの可動範囲を設定する。勿論、その可動範囲は、その切欠き形開口１４において前後方向の開口長さで設定される。また、そのバックル開口１４はスロットに形成されてもよく、そして、開口縁がビード付けされるのが望ましい。
【０００７】
そのフロントおよびリア・インナ・フランジ１７，１８は、そのシート・ベルト・バックル３３、すなわち、そのステー３４の前側倒し位置および後側起し位置に合う傾斜でそのバックル開口１４の前側および後側開口縁１５，１６から内部に伸長され、そして、片側をそのカバー本体１１の内側面１３に一体化している。また、そのフロント・インナ・フランジ１７は、そのリア・インナ・フランジ１８よりも長く伸長されるので、リブ２１で補強されている。
【０００８】
そのフロントおよびリア・インナ・フィン２２，２３は、そのフロントおよびリア・インナ・フランジ１７，１８の先端に一体的に形成され、そして、そのフロントおよびリア・インナ・フランジ１７，１８に同様に片側をそのカバー本体１１のその内側面１３に一体化している。また、そのフロントおよびリア・インナ・フィン２２，２３はフィン面２４，２５に張出し２６，２７を備え、そして、そのステー３４をその張出し２６，２７に受けてそのステー３４の当りを緩衝する。その張出し２６，２７は、そのフロントおよびリア・インナ・フランジ１７，１８の先端に位置され、そして、そのフロントおよびリア・インナ・フランジ１７，１８のフランジ面１９，２０にも突き出されてハーフ・パイプに形成されている。
【０００９】
そのシート・ベルト・バックル３３は、そのステー３４の先端に通常に取り付けられ、そして、そのステー３４は、通常に根元をフロア・ブラケット（図示せず）に回転可能に支持されてフロアに揺動可能に止められる。そのステーは、そのバックル開口１４を通ってそのシート・ベルト・バックル・カバー１０のその内部からその外部に伸長され、そして、そのシート・ベルト・バックル・カバー１０の外部でそのシート・ベルト・バックル３３を支持する。
【００１０】
また、このシート・ベルト・バックル・カバー１０を組み付けるそのドライバー・シート３０において、３１はシート・クッション、そして、３２はシート・バックである。
【００１１】
したがって、そのシート・ベルト・バックル３４が、タング・プレート側のウェビングに引かれてそのステー３４がそのバックル開口１４においてその前側倒し位置とその後側起し位置とに揺動されると、そのフロントおよびリア・インナ・フィン２２，２３がその張出し２６，２７でそのステー３４を受けてそのステー３４の当りを緩衝する。その結果、そのバックル開口１４はそのステー３４で傷付けられず、そして、そのシート・ベルト・バックル・カバー１０は外観の見映えが保たれる。
【００１２】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１３】
【発明の便益】
上述から理解されるように、この発明の乗り物シートに使用されるシート・ベルト・バックル・カバーは、上面の後側にバックル開口を開口し、そして、シート・ベルト・バックルのステーをそのバックル開口に通して外部に伸長させ、そして、そのバックル開口においてそのステーを前後に揺動可能にするカバー本体と、そのバックル開口の前側および後側開口縁から内部に伸長されてその内部を目隠しするフロントおよびリア・インナ・フランジと、そのフロントおよびリア・インナ・フランジの先端に弾性変形可能に一体的に形成されてそのステーを受けるフロントおよびリア・インナ・フィンとを含むので、この発明の乗り物シートに使用されるシート・ベルト・バックル・カバーでは、そのシート・ベルト・バックルがタング・プレート側のウェビングに引かれてそのステーがそのバックル開口においてその前側および後側開口縁に揺動されると、そのフロントおよびリア・インナ・フィンがそのステーを受けて弾性的変形され、そして、そのステーの当りが緩衝され、そのバックル開口はそのステーでその開口縁を傷付けられずにそのステーを前後に揺動でき、そして、外観の見映えが保たれ、また、そのフロントおよびリア・インナ・フランジで内部が見え難くなり、その結果、乗り物シートにとって非常に有用で実用的である。
【図面の簡単な説明】
【図１】この発明の乗り物シートに使用されるシート・ベルト・バックル・カバーの具体例をシート・クッションのインナ・サイドに組み付けるところのワゴンのドライバー・シートを示した斜視図である。
【図２】図１に示されたそのシート・ベルト・バックル・カバーを内側から見た部分斜視図である。
【符号の説明】
１１    カバー本体
１２    上面
１４    バックル開口
１５    前側開口縁
１６    後側開口縁
１７    フロント・インナ・フランジ
１８    リア・インナ・フランジ
２２    フロント・インナ・フィン
２３    リア・インナ・フィン
【図１】
0003715101.tif 000002
【図２】
0003715101.tif 000003